(57)【特許請求の範囲】
【請求項１】
ハウジングと、
このハウンジングに対しこのハウジングより引き出し可能に納められる複数の可動体とを備えており、
複数の可動体は、それぞれ、引き出し時に隣り合う一方の可動体から隣り合う他方の可動体がこの一方の可動体より引き出されるように組み合わされていると共に、
各可動体は、それぞれ、可動体の所望の箇所に光を付与する導光体を、可動体の引き出し方向に沿って有しており、
この導光体は、その一端側を受光部とし、この受光部から入力された光をその他端側に導くように構成されていると共に、
前記他方の可動体は、自らの導光体の受光部に、引き出し時に隣り合う一方の可動体における導光体に入力された光が入力されるように、導光体を配させており、
しかも、ハウジングには、引き出し時にハウジングに隣り合う可動体における導光体に対し光を入力する光源が設けられており、
さらに、可動体の上板部の下方に導光体が配されていると共に、少なくとも一方の可動体の引き出し前端部に、この一方の可動体に備えられた導光体に導かれる光を一部漏らし出させる漏洩部が形成されており、
この一方の可動体がハウジングに押し込みきられている状態において、光源の直下に漏洩部が位置されるようになっていることを特徴とする抽斗装置。
【請求項２】
複数の可動体の少なくとも一つに、入れ込まれる被収納物の全部又は一部を収納する収納部が形成されていると共に、
この収納部の内側に、この可動体に備えられた導光体に導かれている光を、この導光体の受光部となる一端とその他端との間において、この収納部に漏らし出させる漏洩部が形成されていることを特徴とする請求項１記載の抽斗装置。
【発明の詳細な説明】
【０００１】
【発明の属する技術分野】
この発明は、自動車のインストルメントパネルや、センターコンソールなどに、これらから引き出し可能に納められて、引き出し状態において、飲料容器や各種の物品などを保持したり、この引き出し状態において保持させた物品などを、インストルメントパネルなど内への押し込みによって、このインストルメントパネルなどの内方に収納させたりする用途に用いられる抽斗装置の改良に関する。
【０００２】
【従来の技術】
自動車のインストルメントパネルなどにこれらから引き出し可能に取り付けられる抽斗装置が汎用されている。
【０００３】
かかる装置は、インストルメントパネルなどの内方に納まった状態で取り付けられるハウジングと、このハウジングに対しこのハウジングより引き出し可能に納められる可動体（つまり、抽斗体）とを有している。
【０００４】
かかる可動体には、必要に応じて、所望の形状、構造を備えた収納部が形成される。
【０００５】
かかる可動体には、例えば、飲料容器を上方から入れ込むことによって、この飲料容器を起立状態に保持するカップホルダーとなる収納部や、アッシュトレイとなる収納部、アッシュトレイを取り外し可能に納める収納部、小物類を納める収納部などが、形成される。
【０００６】
【発明が解決しようとする課題】
しかるに、この種の装置においては、前記可動体の引き出し量、つまり、可動体を引き出し切った状態でのハウジングからの可動体の突き出し量を大きくしようとすればするほど、この可動体を引き出し可能に納めるハウジングの大型化を招くこととなる。
【０００７】
可動体の引き出し量を大きくさせれば、前記収納部を大きくしたり、可動体に複数種類の収納部を設けることができるなどのメリットをもたらす。
【０００８】
しかし、これに伴って生じるハウジングの大型化は、このハウジングの取り付けのために必要となる空間を、前記インストルメントパネルなどの内方により大きく必要とさせるデメリットをもたらす。
【０００９】
可動体を二以上に分割し、押し込み時には引き出し時に隣り合う一方の可動体の内部に他方の可動体が納まるようにすれば、二以上の可動体を引き出し切った状態での可動体全体の前記突き出し量を大きくしながら、ハウジングの前後の大きさを小さくまとめることが可能となる。
【００１０】
しかるに、この種の装置においては、車室内などが暗い場合でも可動体に形成された前記のような収納部や必要な箇所が認識できるように、あるいは、かかる装置の外観性を高めるなどの観点から、これらの箇所を照らすことが少なからず求められるところである。
【００１１】
このため、単純に可動体を複数に分割しただけでは、引き出し状態にある各可動体に形成された収納部などを単一の光源からの光によって照らすことができない。
【００１２】
かといって、各可動体にそれぞれ別個に光源を備え付けさせることは、構造の複雑化を招くばかりか、コストダウンのマイナス要因となり、また、車両における消費電力の低減の要請にも反することとなる。
【００１３】
そこでこの発明は、この種の抽斗装置の可動体を前記のように二以上に分割しながら、このように分割された各可動体におけるライトアップすべき箇所を、単一の光源からの光によって適切に照らすことができるようにすることを主たる目的とする。
【００１４】
【課題を解決するための手段】
前記目的を達成するために、請求項１記載の発明にあっては、抽斗装置が、以下の（１）〜（９）の構成を備えたものとした。
（１）ハウジングと、
（２）このハウンジングに対しこのハウジングより引き出し可能に納められる複数の可動体とを備えており、
（３）複数の可動体は、それぞれ、引き出し時に隣り合う一方の可動体から隣り合う他方の可動体がこの一方の可動体より引き出されるように組み合わされていると共に、
（４）各可動体は、それぞれ、可動体の所望の箇所に光を付与する導光体を、可動体の引き出し方向に沿って有しており、
（５）この導光体は、その一端側を受光部とし、この受光部から入力された光をその他端側に導くように構成されていると共に、
（６）前記他方の可動体は、自らの導光体の受光部に、引き出し時に隣り合う一方の可動体における導光体に入力された光が入力されるように、導光体を配させており、
（７）  しかも、ハウジングには、引き出し時にハウジングに隣り合う可動体における導光体に対し光を入力する光源が設けられており、
（８）さらに、可動体の上板部の下方に導光体が配されていると共に、少なくとも一方の可動体の引き出し前端部に、この一方の可動体に備えられた導光体に導かれる光を一部漏らし出させる漏洩部が形成されており、
（９）この一方の可動体がハウジングに押し込みきられている状態において、光源の直下に漏洩部が位置されるようになっている。
【００１５】
かかる構成によれば、
（１）ハウジングの光源から、引き出し時にハウジングに隣り合う可動体（以下、第一可動体という。）の導光体に対し、先ず、光を入力させることができる。
（２）また、この第一可動体に対しこの第一可動体から前方に（つまり、ハウジング側から離れる向きに）引き出されるように組み合わされている可動体（以下、第二可動体という。）の導光体に、第一可動体の導光体に入力された光を入力させることができる。
（３）また、可動体を例えば三つとした場合には、この第二可動体に対しこの第二可動体から前方に引き出されるように組み合わされている可動体の導光体に、第二可動体の導光体に入力された光を入力させることができる。
【００１６】
すなわち、かかる装置にあっては、ハウジングの光源から前記第一可動体の導光体に入力された光を、引き出し時に隣り合う一方の可動体の導光体と他方の可動体の導光体を通じて、順次リレーしてより前方に引き出される可動体に導くことができる。
【００１７】
この結果、かかる装置にあっては、ハウジングに設けられる一つの光源によって、このハウジングから順次に引き出される複数の可動体の所望の箇所に光を付与するようにすることができる。
【００１９】
また、かかる構成によれば、漏洩部が備えられた可動体が引き出されていることを、この漏洩部から漏らし出される光によって認識させることができる。
【００２０】
また、請求項２記載の発明にあっては、請求項１記載の抽斗装置における複数の可動体の少なくとも一つに、入れ込まれる被収納物の全部又は一部を収納する収納部が形成されていると共に、この収納部の内側に、この可動体に備えられた導光体に導かれている光を、この導光体の受光部となる一端とその他端との間において、この収納部に漏らし出させる漏洩部が形成されていることを特徴としている。
【００２１】
かかる構成によれば、導光体の両端間において、この導光体に入力された光によって、収納部を照らすことができる。
【００２２】
【発明の実施の形態】
以下、図１ないし図１１に基づいて、この発明の典型的な実施の形態について説明する。
【００２３】
なお、ここで図１および図２は、抽斗装置の後述する完全収納状態を、図３および図４は、中間引き出し状態を、図５および図６は、完全引き出し状態を、それぞれ示している。また、図７は、かかる抽斗装置を前方側から見た状態で示している。また、図８は、後述するハウジング１と第一可動体２ａとを分離した状態でこれらの下面側から見た状態で示しており、また、図９は、この第一可動体２ａと第二可動体２ｂとを分離した状態でこれらの上面側から見た状態で示している。
【００２４】
また、図１０および図１１は、中間引き出し状態（図１０）および完全引き出し状態（図１１）におけるハウジング１の光源１ａと第一可動体２ａの導光体３と第二可動体２ｂの導光体３の位置関係とこの光源１ａからの光の道筋を理解し易いように抽斗装置を断面にして示したものであり、両図中の破線がこの光の基本的な道筋である。
【００２５】
この実施の形態にかかる抽斗装置は、典型的には、自動車のインストルメントパネルＰや、センターコンソールなどの内方に納まった状態で取り付けられるハウジング１と、このハウジング１に対しこのハウジング１より横方向に引き出し可能に納められる複数の可動体２、２…とを備えており、これらの可動体２、２…を必要に応じてハウジング１から、すなわち、インストルメントパネルＰ内などから引き出すことにより、引き出されたこれらの可動体２、２…によって各種の物品などを自動車の室内において保持したり、引き出されたこれらの可動体２、２…を再びインストルメントパネルＰ内などに押し込むことによってこれらの可動体２、２…に保持させた各種の物品などをインストルメントパネルＰ内などに収納したりするように用いられるものである。
【００２６】
かかる複数の可動体２、２…は、それぞれ、引き出し時に隣り合う一方の可動体２から隣り合う他方の可動体２がこの一方の可動体２より前方に引き出されるように組み合わされている。
【００２７】
また、各可動体２は、それぞれ、可動体２の所望の箇所に光を付与する導光体３を、可動体２の引き出し方向に沿って有している。
【００２８】
また、かかる導光体３は、その一端側を受光部３ａとし、この受光部３ａから入力された光をその他端側に導くように構成されている。
【００２９】
それと共に、前記複数の可動体２、２…は、それぞれ、自らの導光体３の受光部３ａに、引き出し時に隣り合う一方の可動体２における導光体３に入力された光が常時入力されるように、導光体３を配させている。
【００３０】
しかも、ハウジング１には、引き出し時にハウジング１に隣り合う可動体２における導光体３に対し光を入力する光源１ａが設けられている。
【００３１】
これにより、この実施の形態にかかる装置にあっては、
（１）ハウジング１の光源１ａから、引き出し時にハウジング１に隣り合う可動体２（以下、第一可動体２ａという。）の導光体３に対し、先ず、光を入力させることができる。
（２）また、この第一可動体２ａに対しこの第一可動体２ａから前方に引き出されるように組み合わされている可動体２（以下、第二可動体２ｂという。）の導光体３に、第一可動体２ａの導光体３に入力された光を入力させることができる。
（３）また、可動体を例えば三つとした場合には、この第二可動体２ｂに対しこの第二可動体２ｂから前方に引き出されるように組み合わされている可動体２の導光体３に、第二可動体２ｂの導光体３に入力された光を入力させることができる。
【００３２】
すなわち、かかる装置にあっては、ハウジング１の光源１ａから前記第一可動体２ａの導光体３に入力された光を、引き出し時に隣り合う一方の可動体２の導光体３と他方の可動体２の導光体３を通じて、順次リレーしてより前方に引き出される可動体２に導くことができる。
【００３３】
この結果、かかる装置にあっては、ハウジング１に設けられる一つの光源１ａによって、このハウジング１から順次に引き出される複数の可動体２、２…の所望の箇所に光を付与するようにすることができる。
【００３４】
導光体３としては、例えば、光を透過させる性質を備えた材料からなる帯板状体や棒状体を用いることができる。典型的には、光を透過させる性質を備えた合成樹脂製の帯板状体や棒状体を用いることができる。こうした合成樹脂としては、例えば、アクリル樹脂を用いることができる。
【００３５】
第一可動体２ａの導光体３を、この第一可動体２ａの引き出し方向に長い導光体３として構成する。それと共に、第二可動体２ｂ以下の各可動体２の導光体３を、各可動体２の引き出し方向に長い導光体３として構成する。また、ハウジング１に全ての可動体２を押し込み切った状態において、第一可動体２ａの導光体３の下方に、各可動体２の導光体３が位置されるようにしておく。また、引き出されて隣り合う一方の可動体２からより前方に引き出される他方の可動体２における導光体３の受光部３ａが、この一方の可動体２から引き出し切られた状態において、この一方の可動体２の導光体３に入力された光を上方から受けるようにしておく。このようにしておけば、隣り合う一方の可動体２から他方の可動体２を引き出し切った状態において、この他方の可動体２の導光体３に必ず光が入力されるようにすることができる。
【００３６】
また、図示の例にあっては、可動体２の上板部２ｃの下方に導光体３が配されていると共に、この可動体２の引き出し前端部に、この可動体２に備えられた導光体３に導かれる光を上方に漏らし出させる漏洩部２ｄが形成されている。
【００３７】
このようにした場合、漏洩部２ｄが備えられた可動体２が引き出されていることを、この漏洩部２ｄから漏らし出される光によって認識させることができる。
【００３８】
この漏洩部２ｄは、例えば、前記可動体２の上板部２ｃに導光体３の一部を上方から覗くことができる窓穴などを形成することによって、構成することができる。
【００３９】
また、図示の例にあっては、複数の可動体２、２…の少なくとも一つに、上方から入れ込まれる被収納物の全部又は一部を収納する収納部２ｅが形成されていると共に、
この収納部２ｅの内側に、この可動体２に備えられた導光体３に導かれている光を、この導光体３の受光部３ａとなる一端とその他端との間において、この収納部２ｅに漏らし出させる漏洩部２ｆが形成されている。
【００４０】
このようにした場合、導光体３の両端間において、この導光体３に入力された光によって、収納部２ｅを照らすことができる。
【００４１】
この漏洩部は、例えば、前記収納部２ｅを内壁に、この収納部２ｅの内方から導光体３の一部を覗くことができる窓穴や切欠などを形成することによって、構成することができる。
【００４２】
図示の例では、ハウジング１と、二つの可動体２、２とによって抽斗装置を構成させている。
【００４３】
二つの可動体２、２の一方（前記第一可動体２ａ）に二つの可動体２、２の他方（前記第二可動体２ｂ）が、この第一可動体２ａから前方に引き出し可能な状態で納められている。また、第一可動体２ａは、このように第二可動体２ｂを納めた状態でハウジング１から前方に引き出し可能な状態で納められている。
【００４４】
そして、図示の例にあっては、第二可動体２ｂの引き出し操作によって、ハウジング１から第一可動体２ａが引き出されないようにした状態で、先ず、第二可動体２ｂをハウジング１に納められている第一可動体２ａから引き出せると共に、（図３、図４）このように第二可動体２ｂを引き出し切った後さらに第二可動体２ｂの引き出し操作をなすことにより、ハウジング１から第一可動体２ａを引き出せるようになっている。（図５、図６）それと共に、このようにハウジング１から第一可動体２ａが引き出し切られ、さらに、この第一可動体２ａから第二可動体２ｂが引き出し切られた状態から、第二可動体２ｂを押し込み操作することにより、先ず、第一可動体２ａをハウジング１に納め戻せることができ、（図３、図４）この後さらにこの押し込み操作をなすことにより、第二可動体２ｂを第一可動体２ａ内に、つまり、ハウジング１内に納め戻せるようになっている。（図１、図２）
【００４５】
すなわち、かかる装置にあっては、ハウジング１、すなわち、このハウジング１が納められるインストルメントパネルＰ内などから最終的に引き出される抽斗体（つまり、第一可動体２ａと第二可動体２ｂ）の突き出し量を大きく確保しながら、この抽斗体の押し込み収納時の寸法をハウジング１内において第一可動体２ａ内に第二可動体２ｂを納めることにより小さくすることができる。この結果、かかる装置にあっては、最終的に引き出される抽斗体の突き出し量を大きく確保しながらこれを納めるハウジング１をコンパクトに構成することができ、インストルメントパネルＰ内などにおけるかかるハウジング１を納めて取り付けるために必要となる空間をできるだけ減少させることができる。
【００４６】
また、かかる装置にあっては、第一可動体２ａと第二可動体２ｂとが共にハウジング１に収納された状態（以下、完全収納状態という。）からの最初の引き出し操作によって第一可動体２ａがハウジング１から引き出されず、かつ、第二可動体２ｂがハウジング１から引き出された状態（以下、中間引き出し状態という。）にすることができると共に、ハウジング１から第二可動体２ｂが引き出されさらにハウジング１から第一可動体２ａが引き出された状態（以下、最終引き出し状態という。）からの最初の押し込み操作によって第一可動体２ａはハウジング１に納め戻されるが第二可動体２ｂはハウジング１から引き出された状態、つまり、前記中間引き出し状態に復帰させることができ、第一可動体２ａおよび第二可動体２ｂの移動を規則的に行わせることができる。
【００４７】
すなわち、前記完全収納状態からの第二可動体２ｂの引き出し操作によって、この完全収納状態、中間引き出し状態、最終引き出し状態の順に移行し、また、この最終引き出し状態からの第二可動体２ｂの押し込み操作によって、この最終引き出し状態、中間引き出し状態、完全収納状態の順に移行する。
【００４８】
図示の例では、かかる第二可動体２ｂが、第二可動体２ｂの移動方向において間隔を開けて二以上の収納部２ｅ、２ｅ…を有していると共に、
前記中間引き出し状態において前記複数の収納部２ｅ、２ｅ…のうちの一部がハウジング１の上面の前端よりも前方に位置されるようにしてある。
【００４９】
これにより、図示の例では、前記中間引き出し状態において、ハウジング１の上面の前端よりも前方に位置される第二可動体２ｂの複数の収納部２ｅ、２ｅ…の一部のみを各種物品などの収納保持の用に供させることができる。
【００５０】
また、前記最終引き出し状態において、ハウジング１の上面の前端よりも前方に第二可動体２ｂの複数の収納部２ｅ、２ｅ…の全てを位置させて、これら収納部２ｅの全てを各種物品などの収納保持の用に供させることができる。
【００５１】
すなわち、図示の例では、収納保持させる物品の種類、量などに応じて、前記中間引き出し状態と最終引き出し状態とを選択することができる。
【００５２】
具体的には、図示の例にあっては、第二可動体２ｂが二つの収納部２ｅ、２ｅを有していると共に、この二つの収納部２ｅ、２ｅのうち、前記中間引き出し状態においてハウジング１の上面の前端よりも前方に位置される収納部２ｅがアッシュトレイ３０を取り外し可能に納める収納部２ｅ”となり、残りの収納部２ｅがカップホルダーを構成する収納部２ｅ’となっている。
【００５３】
これにより、図示の例では、前記中間引き出し状態においては、アッシュトレイ３０のみを使用するようにすることができる。
【００５４】
また、前記最終引き出し状態においては、アッシュトレイ３０とカップホルダーの双方を使用することができる。また、カップホルダーとなる収納部２ｅ’よりもアッシュトレイ３０を取り外し可能に納める収納部２ｅ”の方が前方に位置されることから、この最終引き出し状態において、カップホルダーに起立状態に保持させた飲料容器などがアッシュトレイ３０の使用の邪魔になることがない。
【００５５】
（ハウジング１の基本構成）
具体的には、ハウジング１は、ほぼ方形状をなす上板１０と、この上板１０の向き合った両辺部に沿ってこの辺部においてそれぞれ下方に向けて一体に突き出す側板１１と、この側板１１の設けられた両辺部間にある一方の辺部に沿ってこの辺部から下方に向けて一体に突き出す背板１２とを備えている。
【００５６】
すなわち、かかるハウジング１は、下面を開放させると共に、背板１２と反対の側において側方に開放されている。また、このハウジング１におけるこのように側方に開放した側方開放部１３側には、前記一対の側板１１、１１の下端間に亙って補強板１４が架設されている。
【００５７】
そして、かかるハウジング１は、前記側方開放部１３をインストルメントパネルＰなどに形成された開放部Ｐａに連通させるようにして、このインストルメントパネルＰなどの内部に組み込まれるようになっている。
【００５８】
前記第一可動体２ａは、このように構成されたハウジング１内に、前記側方開放部１３から横方向に引き出し可能に納められる。
【００５９】
図示の例にあっては、かかるハウジング１の上板１０の前端側には、貫通穴１５が形成されていると共に、この貫通穴１５の上方に光源１ａとなるランプ１ｂが備え付けられている。この貫通穴１５は、ハウジング１の幅方向ほぼ中程の位置に設けられている。そして図示の例にあっては、このランプ１ｂからの光が貫通穴を通じてハウジング１の内方に入力されるようになっている。
【００６０】
（第一可動体２ａの基本構成）
第一可動体２ａは、ほぼ方形状なす上板１６と、この上板１６の向き合った両辺部に沿ってこの辺部においてそれぞれ下方に向けて一体に突き出す側板１７とを有している。また、このように設けられる一対の側板１７、１７の下端間には、補強板１８が架設されている。また、図示の例にあっては、一対の側板１７、１７の側部の一方は、この側板１７が形成されている上板１６の辺部間にある上板１６の辺部よりも側方に突き出しており、この側板１７の突き出している側の上板１６の辺部が第一可動体２ａの前端となるようになっている。
【００６１】
そして、かかる第一可動体２ａの一対の側板１７、１７の外面間の寸法が、前記ハウジング１の一対の側板１１、１１の内面間の寸法とほぼ等しいか、やや小さくなるようにしてある。また、かかる第一可動体２ａの上板１６の外面と補強板１８の外面間の寸法が、前記ハウジング１の上板１０の内面と補強板１４の内面間の寸法とほぼ等しいか、やや、小さくなるようにしてある。
【００６２】
これにより、第一の可動体２は、その上板１６の外面をハウジング１の上板１０の内面に向き合わせ、かつ、その側板１７の外面をハウジング１の側板１１の内面に向き合わせた状態で、ハウジング１の前記側方開放部１３から横方向に引き出し可能にこのハウジング１内に納められる。
【００６３】
また、前記第二可動体２ｂは、このように構成された第一可動体２ａ内に、前記前端側から前方に向けて引き出し可能に納められる。
【００６４】
図示の例にあっては、かかる第一可動体２ａの上板１６の後端側と前端側とにはそれぞれ、貫通穴が形成されている。（以下、この上板１６の後端側の貫通穴を後端側貫通穴１９と、上板の前端側の貫通穴を前端側貫通穴２０という。）この貫通穴１９、２０はいずれも、この第一可動体２ａの幅方向ほぼ中程の位置に形成されている。
【００６５】
また、図示の例では、この上板１６の内面に導光体３が備え付けられている。導光体３は、光を透過する性質を備えた帯板状体２１として構成されている。また、この帯板状体２１は、その一端部を後端側貫通穴１９の下方に位置させ、かつ、その他端部を前端側貫通穴２０の下方に位置させるように備えられている。
【００６６】
そして、図示の例にあっては、ハウジング１内に第一可動体２ａが押し込み切られた位置において、ハウジング１の貫通穴１５の直下に第一可動体２ａの前端側貫通穴２０が位置されると共に、ハウジング１内から第一可動体２ａが引き出し切られた位置において、ハウジング１の貫通穴１５の直下に第一可動体２ａの後端側貫通穴１９が位置されるようになっている。
【００６７】
これにより、図示の例にあっては、ハウジング１内から第一可動体２ａが引き出し切られた状態において、第一可動体２ａの後端側貫通穴１９の下方に位置されるこの第一可動体２ａの導光体３の一端部を受光部３ａとして、前記光源１ａからの光をこの導光体３に入力させることができる。そして、このように入力された光をこの導光体３の他端部に導き、この他端部を投光部として出力させることができる。
【００６８】
第一可動体２ａの上板１６には、前記前端側貫通穴２０が設けられていることから、第一可動体２ａがハウジング１から引き出されている場合には、前記導光体３に導かれている光はこの前端側貫通穴２０から上方に漏れ出す。これにより第一可動体２ａが引き出されていることを車室内などが暗い場合でも認識させることができる。すなわち、図示の例にあっては、前記前端側貫通穴２０が前記漏洩部２ｄとして機能するものとなっている。
【００６９】
なお、図示の例では、前記後端側貫通穴１９に臨む導光体３の一端部であって、その下側に、この導光体３の一端部側の末端に向けて次第にこの導光体３の厚さ寸法を狭める向きに傾斜した傾斜面２１ａが形成してあると共に、前記前端側貫通穴２０に臨む導光体３の他端部であって、その上側に、この導光体３の他端部側の末端に向けて次第にこの導光体３の厚さ寸法を狭める向きに傾斜した傾斜面２１ｂが形成してある。これにより、図示の例にあっては、第一可動体２ａを引き出し切った状態において、前記後端側貫通穴１９に臨む導光体３の一端部に上方から入力された光がこの一端部側の傾斜面２１ａによって横方向に、つまり、導光体３の長さ方向に導かれ、また、このように導かれた光が導光体３の他端部側の傾斜面２１ｂによって下方に導かれ、前記完全引き出し状態において、後述する第二可動体２ｂの導光体３の受光部３ａとなる一端に上方から入力されるようにしてある。（図１１）
【００７０】
（第二可動体２ｂの基本構成）
第二可動体２ｂは、第一可動体２ａの一対の側板１７、１７間の寸法とほぼ等しいか、やや小さい幅と、この第一可動体２ａの上板１６の内面と補強板１８の内面との間に寸法とほぼ等しいか、やや小さい厚さを備えるように構成されている。
【００７１】
また、かかる第二可動体２ｂは、その移動方向に沿った側の寸法を、第一可動体２ａの側板１７の寸法とほぼ等しくしている。
【００７２】
そして、かかる第二可動体２ｂは、その前端側に、下方に向けて窪んだ収納部２ｅを有している。この収納部２ｅは、第二可動体２ｂの幅方向に沿った向きにおいて長くなるように形成されている。そしてまた、図示の例にあっては、このように構成される収納部２ｅに、上方から蓋付きのアッシュトレイ３０が取り外し可能に納められるようになっている。
【００７３】
また、かかる第二可動体２ｂの前端には、前板２２が一体に設けられている。この前板２２は、ハウジング１の側方開放部１３を覆う大きさを備えている。また、この前板２２の前面には、指掛け凹部２３が形成されており、この指掛け凹部２３を利用して引き出し操作ができるようになっている。
【００７４】
また、第二可動体２ｂの前記アッシュトレイ３０を納める収納部２ｅ”と、この第二可動体２ｂの後端との間には、左右にそれぞれ貫通穴２４が形成されており、この貫通穴２４に上方から飲料容器を入れ込むことによりこの貫通穴２４によって飲料容器を起立状態に保持するようになっている。すなわち、図示の例では、この貫通穴２４がカップホルダーを構成する収納部２ｅ’として機能するものとなっている。図中符号２５で示されるのは、この貫通穴２４に入れ込まれた飲料容器の底部を下方から支える支持体であり、また、図中符号２６で示されるのは、常時上方への付勢力の作用を受けた状態で横向きに配されると共に、貫通穴２４への飲料容器の入れ込みにあたってこの付勢に抗して下方に押し込まれてその表面を飲料容器の側部に押し当てる舌片体である。
【００７５】
図示の例にあっては、かかる第二可動体２ｂの上板部２ｃの後端側に、貫通穴が形成されている。この貫通穴は、この第二可動体２ｂの幅方向ほぼ中程の位置に形成されている。
【００７６】
また、図示の例では、この上板部２ｃの内面側に導光体３が備え付けられている。導光体３は、光を透過する性質を備えた棒状体２９として構成されている。また、この棒状体２９は、その一端部を貫通穴の下方に位置させている。（以下、この貫通穴を第二可動体２ｂの後端側貫通穴２７という。）また、図示の例では、アッシュトレイ３０を納める収納部２ｅにおけるカップホルダーを構成する収納部２ｅ側にある幅方向に沿った内壁のほぼ中央部に導光体３の他端部を突き出させる貫通穴が形成されており、この貫通穴から導光体３の他端部がアッシュトレイ３０を納める収納部２ｅ”内にやや突き出されるようになっている。（以下、この貫通穴を第二可動体２ｂの前端側貫通穴２８という。）
【００７７】
そして、図示の例にあっては、ハウジング１内に第一可動体２ａが押し込み切られていると共に、この第一可動体２ａから第二可動体２ｂが引き出しきられている前記中間引き出し状態において、ハウジング１の貫通穴１５の直下に第一可動体２ａの前端側貫通穴２０が位置されると共に、この前端側貫通穴２０の直下に第二可動体２ｂの後端側貫通穴２７が位置されるようになっている。
【００７８】
これにより、図示の例にあっては、前記中間引き出し状態においては、第一可動体２ａの前端側貫通穴２０の下方に位置されるこの第一可動体２ａの導光体３の他端部の直下に位置される第二可動体２ｂの導光体３の一端部を受光部３ａとして、前記光源１ａからの光を第二可動体２ｂの導光体３に入力させることができる。そして、このように入力された光をこの導光体３の他端部に導き、この他端部を投光部として出力させることができる。（図１０）
【００７９】
また、前記完全引き出し状態においては、ハウジング１の貫通穴１５の直下に第一可動体２ａの後端側貫通穴１９が位置されると共に、この第一可動体２ａの導光体３における他端部の直下に第二可動体２ｂの後端側貫通穴２７が位置されるようになっている。
【００８０】
これにより、図示の例にあっては、前記完全引き出し状態においても、前記光源１ａからの光を第二可動体２ｂの導光体３に入力させることができる。そして、このように入力された光をこの導光体３の他端部に導き、この他端部を投光部として出力させることができる。（図１１）
【００８１】
また、図示の例では、第二可動体２ｂの導光体３の他端部が、前記アッシュトレイ３０を取り外し可能に納める収納部２ｅ”内に臨んでおり、このように臨まされた導光体３の他端部から出力される光によってこの収納部２ｅを照らすようになっている。
【００８２】
また、図示の例では、この収納部２ｅ”に納められるアッシュトレイ３０に、この収納部２ｅ”への納め入れ時に第二可動体２ｂの前端側貫通穴２８に連通する貫通穴３１が形成されており、第二可動体２ｂの導光体３の他端部から出力された光は、この収納部２ｅ”にアッシュトレイ３０が納められている状態においてはこのアッシュトレイ３０の内部を照らすようになっている。（図１０、図１１）
【００８３】
また、図示の例にあっては、第二可動体２ｂの導光体３は、カップホルダーを構成する二つの貫通穴２４、２４の間の空間を通ってアッシュトレイ３０を納める収納部２ｅ”に至るように備えられている。すなわち、かかる導光体３は、二つの貫通穴２４、２４の一方の内壁と二つの貫通穴２４、２４の他方の内壁と第二可動体２ｂの上板部２ｃとの間の空間を通っている。
【００８４】
そして、図示の例にあっては、この二つの貫通穴２４，２４の内壁にそれぞれ、この導光体３に導かれている光を、この導光体３の受光部３ａとなる一端とその他端との間において、この貫通穴２４内に漏らし出させる漏洩部２ｆが形成されている。
【００８５】
図示の例にあっては、かかる漏洩部２ｆは、貫通穴２４の内壁に上下方向に長く延びるように形成されたスリット状をなすように構成してある。
【００８６】
この結果、図示の例にあっては、この漏洩部２ｆを通じて、導光体３の両端間において、この導光体３に入力された光によって、カップホルダーとなる収納部２ｅ’を照らすことができる。
【００８７】
なお、図示の例では、前記後端側貫通穴２７に臨む導光体３の一端部であって、その下側に、この導光体３の一端部側の末端に向けて次第にこの導光体３の厚さ寸法を狭める向きに傾斜した傾斜面２９ａが形成してある。
【００８８】
また、導光体３は、前記漏洩部２ｆに至る位置よりやや先の位置まで真っ直ぐ延びると共に、この先の位置から前記前端側貫通穴２８に至る位置までを、下方に向けて傾斜状に延びる傾斜部２９ｂとしている。
【００８９】
これにより、図示の例にあっては、前記後端側貫通穴２７に臨む導光体３の一端部に上方から入力された光がこの一端部側の傾斜面２９ａによって横方向に、つまり、導光体３の長さ方向に導かれ、また、このように導かれた光が導光体３の傾斜部２９ｂの上下面によって、この第二可動体２ｂの導光体３の他端に導かれ、この他端から出力されるようにしてある。（図１０、図１１）
【００９０】
【発明の効果】
この発明にかかる抽斗装置によれば、可動体を二以上に分割しながら、このように分割された各可動体におけるライトアップすべき箇所を、各可動体の引き出し時にハウジングに備えられた単一の光源からの光によってそれぞれ適切に照らすことができる。
【図面の簡単な説明】
【図１】抽斗装置の側面図（完全収納状態）
【図２】同平面図（完全収納状態）
【図３】同側面図（中間引き出し状態）
【図４】同平面図（中間引き出し状態）
【図５】同側面図（完全引き出し状態）
【図６】同平面図（完全引き出し状態）
【図７】同正面図
【図８】ハウジング１と第一可動体２ａとの分離斜視構成図
【図９】第一可動体２ａと第二可動体２ｂとの分離斜視構成図（支持体２５および舌片体２６省略）
【図１０】抽斗装置の断面構成図（中間引き出し状態）
【図１１】抽斗装置の断面構成図（完全引き出し状態）
【符号の説明】
１  ハウジング
１ａ  光源
２  可動体
３  導光体
３ａ  受光部
【図１】
0004008749.tif 000002
【図２】
0004008749.tif 000003
【図３】
0004008749.tif 000004
【図４】
0004008749.tif 000005
【図５】
0004008749.tif 000006
【図６】
0004008749.tif 000007
【図７】
0004008749.tif 000008
【図８】
0004008749.tif 000009
【図９】
0004008749.tif 000010
【図１０】
0004008749.tif 000011
【図１１】
0004008749.tif 000012